(57)【特許請求の範囲】
【請求項１】
ボイラ（１０）で発生させた蒸気を仕事させた後、復水器（４０）で復水させた復水をボイラ（１０）に供給する復水・給水系統（ＷＬａ，ＷＬｂ）と、復水の一部を、復水・給水系統（ＷＬａ，ＷＬｂ）に配置される給水手段（５０）の軸封水として供給する軸封水供給系統（ＷＬｃ）とを備え、前記給水手段（５０）は、ブースタ給水ポンプ（５１）およびボイラ給水ポンプ（５２）と、ブースタ給水ポンプ（５１）の出口側とボイラ給水ポンプ（５２）の入口側とを上から跨ぐように接続する接続配管（５００）とを有する発電設備において、
ボイラ給水ポンプ（５２）をターニングするとともに、蒸気シールして、
つぎに、ボイラ給水ポンプ（５２）の内部に、復水器（４０）からの封水を供給しつつ、ボイラ給水ポンプ（５２）の出口側からの流水を阻止するとともに、ボイラ給水ポンプ（５２）の入口側からの流水を阻止し、
つぎに、ブースタ給水ポンプ（５１）において、ボイラ給水ポンプ（５２）からの流水がないことを確認した後、ブースタ給水ポンプ（５１）のメンテナンスを行うようにしたことを特徴とする発電設備におけるメンテナンス時のアイソレート方法。
【請求項２】
前記ボイラ給水ポンプ（５２）の出口側および入口側の流水を阻止した後、前記ボイラ給水ポンプ（５２）の内部を封水で満水状態にするようにしたことを特徴とする請求項１に記載の発電設備におけるメンテナンス時のアイソレート方法。
【請求項３】
前記ボイラ給水ポンプ（５２）の出口側および入口側の流水を阻止した後、前記ボイラ給水ポンプ（５２）のケーシングの空気抜きを行うようにしたことを特徴とする請求項１または２に記載の発電設備におけるメンテナンス時のアイソレート方法。
【請求項４】
前記接続配管（５００）は、ボイラ給水ポンプ（５２）のロータのバランスを保持するロータバランス配管（５０１）が接続されるとともに、該ロータバランス配管（５０１）にブロー用ホース（５０２）が接続されており、該ブロー用ホース（５０２）からの流水を確認することで、ボイラ給水ポンプ（５２）が封水で満水状態になっていることを確認するようにしたことを特徴とする請求項１乃至３のいずれか１項に記載の発電設備におけるメンテナンス時のアイソレート方法。
【請求項５】
ボイラ給水ポンプ（５２）の内部を封水で満水状態を維持しつつ、前記ボイラ給水ポンプ（５２）の出口側および入口側の流水を阻止している区間のブローをした後、ブースタ給水ポンプ（５１）のメンテナンスを行うようにしたことを特徴とする請求項１乃至４のいずれか１項に記載の発電設備におけるメンテナンス時のアイソレート方法。
【発明の詳細な説明】
【技術分野】
【０００１】
本発明は、蒸気タービンシステムを有する発電設備におけるメンテナンス時のアイソレート方法に関する。
【背景技術】
【０００２】
発電設備におけるメンテナンス時のアイソレート方法について説明する前に、一般的な発電設備について、火力発電設備を例にとって説明する。該火力発電設備は、図１に示すように、水を加熱して蒸気にするボイラ１０と、該ボイラ１０で発生させた蒸気で駆動する蒸気タービン２０，２１，２２，２３と、該蒸気タービン２０〜２３の駆動を受けて発電する発電機３０と、蒸気タービン２０〜２３から排出される蒸気を冷却して水（飽和水）にするための復水器４０と、該復水器４０で得られた水をボイラ１０に供給する給水手段（ブースタ給水ポンプ５１およびボイラ給水ポンプ５２）５０とを備えている。
【０００３】
そして、前記火力発電設備において、定期的なメンテナンス（保守、点検、または修理）をする際、ボイラ１０などに高圧加熱給水を行う複数系統の給水ポンプから所定のポンプを停止する必要がある。この場合、他系統の給水ポンプから当該ポンプにつながっている配管系統をプロセスフロー的にアイソレート（分離）する操作をしている。
【０００４】
例えば、ボイラ１０に復水器４０からの復水を、ボイラ給水ポンプ５２とともに供給するブースタ給水ポンプ５１をメンテナンスする場合は、まず、ボイラ給水ポンプ５２の蒸気系統および水系統を停止させて、ボイラ給水ポンプ５２を、ボイラ給水ポンプ５２の蒸気系統および水系統からアイソレートし、アイソレート完了後、ブースタ給水ポンプ５１をメンテナンスしている。アイソレートに際しては、ボイラ給水ポンプ５２と、該ボイラ給水ポンプ５２の上流側に配置されるブースタ給水ポンプ５１との間に仕切り弁がないため、ブースタ給水ポンプ５１からボイラ給水ポンプ５２まで広範囲に配置された各弁を手順に従って開閉操作している。
【０００５】
なお、ボイラ給水ポンプ５２をメンテナンスする場合のアイソレートシステムとして、例えば、ボイラ給水ポンプ５２をターニングして、高温になっているボイラ給水ポンプ５２のタービンＴを所定温度まで冷却する一方、封水をボイラ給水ポンプ５２のロータに供給して冷却した後、アイソレート手段によって、ケーシング内部の高温水が外部に漏れないように貫流部に低温のフラッシュ水（冷却水）を供給する軸封水供給系統から、ボイラ給水ポンプ５２を分離して、ボイラ給水ポンプ５２の水抜き作業を行うものが公知になっている（例えば、特許文献１参照）。
【先行技術文献】
【特許文献】
【０００６】
【特許文献１】特開２００７−１００５９７号公報
【発明の概要】
【発明が解決しようとする課題】
【０００７】
しかしながら、上述したように、ブースタ給水ポンプ５１をメンテナンスする際のアイソレートは、ボイラ給水ポンプ５２からブースタ給水ポンプ５１までの操作範囲が広く、多くの弁を開閉操作することになり、時間と要員を要している。
【０００８】
また、メンテナンス時、ボイラ給水ポンプ５２の蒸気系統および水系統を停止させる（その結果、ボイラ給水ポンプ５２のタービンの内部に真空低下が生じる）ため、メンテナンス後、定常運転を再開するにあたり、ボイラ給水ポンプ５２のタービンの内部を真空に戻す必要があるが、これにも時間を要することがある。
【０００９】
すなわち、ボイラ給水ポンプ５２のタービンＴの排気室を真空上昇（減圧）する場合は、復水器４０の真空上昇（減圧）が完了した後、ボイラ給水ポンプ５２のタービンＴの排気室の空気を、ボイラ給水ポンプ５２のタービンと復水器４０とを接続する配管に配置された排気弁Ｘを開操作して、復水器４０により抽気しているが、例えば、前記排気弁Ｘにシート漏れ（ボイラ給水ポンプ５２側への大気の吸い込み（インリーク））があった場合、ボイラ給水ポンプ５２のタービンＴから復水器４０への空気流入が少なくなり、真空上昇に時間を要することになる。
【００１０】
また、前記排気弁Ｘを、ボイラ給水ポンプ５２のタービンＴの排気室と、復水器４０との真空差が小さくなることなく、先行して開操作した場合、復水器４０の真空度が大きく低下することがある。特に、蒸気タービン２０〜２３の運転中にメンテナンスする際に、ボイラ給水ポンプ５２のタービンＴの排気室の真空を破壊（真空状態から大気圧まで昇圧）した後、真空上昇（減圧）させた時、復水器４０の真空の低下の度合いが大きくなって、復水器４０の排気室において温度上昇を引き起こし、蒸気タービン２０〜２３が停止（ユニットトリップ）する可能性がある。このため、復水器４０の真空値を常時監視する必要がある。
【００１１】
そこで、本発明は、ブースタ給水ポンプのメンテナンスを行う際の、ボイラ給水ポンプのアイソレートの操作範囲を縮小するとともに、時間と作業要員を削減できるようにした発電設備におけるメンテナンス時のアイソレート方法を提供することを課題とする。
【課題を解決するための手段】
【００１２】
本発明に係る発電設備におけるメンテナンス時のアイソレート方法は、ボイラ１０で発生させた蒸気を仕事させた後、復水器４０で復水させた復水をボイラ１０に供給する復水・給水系統ＷＬａ，ＷＬｂと、復水の一部を、復水・給水系統ＷＬａ，ＷＬｂに配置される給水手段５０の軸封水として供給する軸封水供給系統ＷＬｃとを備え、前記給水手段５０は、ブースタ給水ポンプ５１およびボイラ給水ポンプ５２と、ブースタ給水ポンプ５１の出口側とボイラ給水ポンプ５２の入口側とを上から跨ぐように接続する接続配管５００とを有する発電設備において、ボイラ給水ポンプ５２をターニングするとともに、蒸気シールして、つぎに、ボイラ給水ポンプ５２の内部に、復水器４０からの封水を供給しつつ、ボイラ給水ポンプ５２の出口側からの流水を阻止するとともに、ボイラ給水ポンプ５２の入口側からの流水を阻止し、つぎに、ブースタ給水ポンプ５１において、ボイラ給水ポンプ５２からの流水がないことを確認した後、ブースタ給水ポンプ５１のメンテナンスを行うようにしたことを特徴とする。
【００１３】
かかる構成によれば、ボイラ給水ポンプ５２をターニング（ボイラ給水ポンプ５２のタービンを停止させ、該タービンのロータを低速で回転させる）するとともに、蒸気シールすることによって、ボイラ給水ポンプ５２の水系統のみをアイソレートすることになる。したがって、ブースタ給水ポンプ５１に対するアイソレートがない分、作業工程および要員を削減でき、作業性が大幅に改善できる。一方、ボイラ給水ポンプ５２の蒸気系統は生かされているので、復水器４０における真空低下を阻止できるとともに、該真空低下によるユニットトリップを防止できるようになる。すなわち、復水器４０の真空値を常時監視する必要がなくなり、作業者の負担が軽減される。
【００１４】
また、ボイラ給水ポンプ５２の出口側からの流水を阻止するとともに、ボイラ給水ポンプ５２の入口側からの流水を阻止するので、ボイラ給水ポンプ５２からブースタ給水ポンプ５１への流れ込みがなく、ブースタ給水ポンプ５１を容易にメンテナンスできる。また、軸封水供給系統ＷＬｃからの封止を、ボイラ給水ポンプ５２の冷却水として利用することで、ボイラ給水ポンプ５２を効率よく冷却することができる。さらに、復旧に際しても、ボイラ給水ポンプ５２の蒸気系統は生かされているので、復水器４０の真空低下がない。すなわちボイラ給水ポンプ５２のタービンの排気室と復水器４０との真空差がない分、復旧時間を短縮することができる。
【００１５】
また、本発明によれば、前記ボイラ給水ポンプ５２の出口側および入口側の流水を阻止した後、前記ボイラ給水ポンプ５２の内部を封水で満水状態にするような構成を採用することもできる。
【００１６】
かかる構成によれば、ボイラ給水ポンプ５２の出口側および入口側をアイソレートした後、すなわち、ボイラ給水ポンプ５２を復水・給水系統ＷＬａ，ＷＬｂから切り離した状態にして、封水によってボイラ給水ポンプ５２の内部を満水状態にすることで、ボイラ給水ポンプ５２の内部を効率よく冷却することができる。つまり、ボイラ給水ポンプ５２の内部が満水になるまで、冷却が継続されることで、有効に冷却される。
【００１７】
また、本発明によれば、前記ボイラ給水ポンプ５２の出口側および入口側の流水を阻止した後、前記ボイラ給水ポンプ５２のケーシングの空気抜きを行うような構成を採用することもできる。
【００１８】
かかる構成によれば、ボイラ給水ポンプ５２を復水・給水系統ＷＬａ，ＷＬｂから切り離した状態にして、ボイラ給水ポンプ５２のケーシングの空気を抜くことで、ボイラ給水ポンプ５２のケーシングを効率よく冷却することができる。
【００１９】
また、本発明によれば、前記接続配管５００は、ボイラ給水ポンプ５２のロータのバランスを保持するロータバランス配管５０１が接続されるとともに、該ロータバランス配管５０１にブロー用ホース５０２が接続されており、該ブロー用ホース５０２からの流水を確認することで、ボイラ給水ポンプ５２が封水で満水状態になっていることを確認するような構成を採用することができる。
【００２０】
かかる構成によれば、ボイラ給水ポンプ５２に接続されるロータバランス配管５０１、および、該ロータバランス配管５０１に接続されるブロー用ホース５０２を、ボイラ給水ポンプ５２内部の満水状態の確認手段として利用しているので、構成の大幅な変更もなく、簡単な構成で確認できる。
【００２１】
また、本発明によれば、ボイラ給水ポンプ５２の内部を封水で満水状態を維持しつつ、前記ボイラ給水ポンプ５２の出口側および入口側の流水を阻止している区間のブローをした後、ブースタ給水ポンプ５１のメンテナンスを行うような構成を採用することができる。
【００２２】
かかる構成によれば、封水を利用してボイラ給水ポンプ５２を冷却しつつ、ボイラ給水ポンプ５２の出口側および入口側の流水を阻止している区間のみブローするので、ブースタ給水ポンプ５１のメンテナンスに至るまでの作業が大幅に改善される。
【発明の効果】
【００２３】
本発明によれば、ボイラ給水ポンプのタービンをターニングするとともに、蒸気シールすることによって、ボイラ給水ポンプを冷却することができる一方、ボイラ給水ポンプにおける蒸気系統はアイソレートすることなく、水系統のみをアイソレートするので、ボイラ給水ポンプのアイソレートの操作範囲を縮小できるとともに、時間と作業要員を削減できる。さらに、ボイラ給水ポンプにおける蒸気系統はアイソレートしないことから、復水器の真空値を常時監視する必要がない分、作業者の負担を軽減することができる。
【００２４】
また、復旧時、ボイラ給水ポンプの水系統を復旧させるだけでよい、すなわち、ボイラ給水ポンプの出口側および入口側の流水を阻止している区間の各弁を操作するだけでよい。さらに、ボイラ給水ポンプの蒸気系統を生かしているので、復水器の真空値が低下することがない。すなわち、復水器とボイラ給水ポンプのタービンの排気室との真空度の差がなく、復旧時間を大幅に短縮できる。
【図面の簡単な説明】
【００２５】
【図１】本発明の一実施形態に係る発電設備の概略構成を示す図。
【図２】図１の要部を示す概略図。
【図３】図１の要部を立体的に示した概略図。
【発明を実施するための形態】
【００２６】
本発明に係る発電設備におけるメンテナンス時のアイソレート方法の一実施形態について図１〜図３を参照しながら説明する。まず、発電設備として、ブースタ給水ポンプおよびボイラ給水ポンプが設置される火力発電設備を例にとって説明する。該火力発電設備１は、図１に示す如く、水を加熱して蒸気にするボイラ１０と、該ボイラ１０で発生させた蒸気で駆動する蒸気タービン２０，２１，２２，２３と、該蒸気タービン２０〜２３の駆動を受けて発電する発電機３０と、蒸気タービン２０〜２３から排出される蒸気を冷却して水（飽和水）にするための復水器４０と、蒸気タービン２０〜２３からの抽気で、復水器４０で得られた復水を加熱する低圧給水加熱器５９と、蒸気によって水を直接加熱し、水に含まれる溶存ガスを物理的に分離除去する脱気器６０と、蒸気タービン２０〜２３からの抽気で、脱気器６０で脱気された水を加熱する高圧給水加熱器７０とを備えている。なお、低圧給水加熱器５９および高圧給水加熱器７０は、複数のヒータを有している（図示せず）。
【００２７】
さらに、火力発電設備１は、復水器４０に冷却水を供給する循環ポンプ８０と、復水器４０で得られた復水を低圧給水加熱器５９に供給する復水ポンプ５３と、ボイラ１０に供給する給水手段５０としてのブースタ給水ポンプ５１およびボイラ給水ポンプ５２とを備えている。
【００２８】
そして、火力発電設備１は、復水器４０で得られた水をブースタ給水ポンプ５１およびボイラ給水ポンプ５２に送るべく、復水器４０とブースタ給水ポンプ５１とを繋ぐ復水系統ＷＬａと、復水系統ＷＬａからの水をボイラ１０に供給すべく、ブースタ給水ポンプ５１およびボイラ給水ポンプ５２とボイラ１０とを繋ぐ給水系統ＷＬｂと、ボイラ１０で発生させた蒸気を蒸気タービン２０，２１，２２，２３に供給し、該蒸気タービン２０〜２３が排出した蒸気を復水器４０に送るべく、蒸気タービン２０〜２３を介してボイラ１０と復水器４０とを繋ぐ蒸気系統ＳＬとを備えている。
【００２９】
ボイラ１０は、給水系統ＷＬｂから供給される水を蒸発させる蒸発器１１と、蒸発器１１で蒸発させた飽和蒸気を過熱する過熱器１２と、蒸発タービン（後述する高圧タービン）２０からの排気（蒸気）を過熱する再熱器１３とを備えている。そして、本実施形態に係るボイラ１０は、過熱器１２によって過熱した蒸気を蒸気タービン（高圧タービン）２０に供給し、再熱器１３によって過熱した蒸気を別の蒸気タービン（後述する中圧タービン）２１に供給するようになっている。
【００３０】
蒸気タービン２０，２１，２２，２３は、具体的には、高圧タービン２０、中圧タービン２１及び低圧タービン２２，２３を備えており、高圧タービン２０及び中圧タービン２１が一台ずつ設けられ、低圧タービン２２，２３が二台設けられている。
【００３１】
そして、これらの蒸気タービン２０，２１，２２，２３は、高圧タービン２０、中圧タービン２１、低圧タービン２２，２３の順でそれぞれの出力軸が同軸になるように並列に配置され、出力軸が隣り合う蒸気タービン２０〜２３の出力軸に連結されている。そして、前記発電機３０は、蒸気タービン２０〜２３に対して横並びに配置されており、入力軸が低圧タービン２３の出力軸に接続されている。これにより、発電機３０は、高圧タービン２０、中圧タービン２１及び低圧タービン２２，２３の駆動を受けて発電するようになっている。
【００３２】
復水器４０は、蒸気タービン２２，２３の排気（蒸気）を冷却して水にするもので、本実施形態においては、蒸気タービン２２，２３（低圧タービン２２，２３）からの蒸気が導入される内部空間を画定するハウジング４００と、該ハウジング４００内に配設され、循環系統ＲＬからの冷却水を流通させる冷却管（図示せず）とを備え、ハウジング４００内に導入された蒸気を冷却管内の冷却水によって間接的に冷却し、これによって蒸気を凝縮させて水にするようになっている。
【００３３】
ブースタ給水ポンプ５１は、ボイラ給水ポンプ５２の押込圧力を確保するため設けられ、電動モータで駆動する電動式のポンプＰで構成されている。また、ブースタ給水ポンプ５１は、ケーシングと軸の貫流部の密封方法（軸シール）として、水封方式を採用している。この水封方式は、ケーシング内部の高温水が外部に漏れないように貫流部に低温のフラッシュ水（冷却水）を供給する軸冷系統ＷＬｄ（図２参照）によって行われる。
【００３４】
ボイラ給水ポンプ５２は、ブースタ給水ポンプ５１の下流側に配置され、電動モータで駆動する電動式のポンプＰと、蒸気で駆動する蒸気タービン式のポンプＴとで構成されている。そして、ボイラ１０へ高圧水を供給するためケーシング内にブースタ給水ポンプ５１で加圧された給水を入れて羽根車を回転させるもので、遠心力で、ケーシングの内壁に押し付けられた給水と羽根車とで囲まれた空間の変化を利用して吸込、吐出を行っている。また、ボイラ給水ポンプ５２は、高温水を取り扱うため、ケーシングと軸の貫流部の密封方法（軸シール）として、水封方式を採用している。この水封方式は、ケーシング内部の高温水が外部に漏れないように貫流部に低温の圧力水（封水）を供給する封水供給系統によって行われる一方、この封水は、軸封水供給系統ＷＬｃ（図２参照）の封水連絡管５３１（図２参照）および封水回収タンク（図示せず）を介して復水器４０に回収される。また、この封水は、ボイラ給水ポンプ５２の冷却水としても使用される。
【００３５】
給水系統ＷＬｂは、ブースタ給水ポンプ５１およびボイラ給水ポンプ５２で送り出された水を蒸気タービン２０，２１，２２，２３からの抽気で加熱する高圧給水加熱器７０を備えている。
【００３６】
蒸気系統ＳＬは、蒸気タービン２０，２１，２２，２３が上述のように配列されることを前提に、ボイラ１０と高圧タービン２０の吸気側とを接続した第１スチーム管路ＳＬ１、高圧タービン２０の排気側とボイラ１０内の再熱器１３とを接続した第２スチーム管路ＳＬ２、再熱器１３と中圧タービン２１の吸気側とを接続した第３スチーム管路ＳＬ３、中圧タービン２１の排気側と低圧タービン２２，２３の吸気側とを接続した第４スチーム管路ＳＬ４、低圧タービン２２，２３の排気側と復水器４０とを接続する第５スチーム管路ＳＬ５を備えている。
【００３７】
なお、本実施形態に係る火力発電設備１の蒸気系統ＳＬは、上述のスチーム管路ＳＬ１〜ＳＬ５に加え、ボイラ１０と高圧タービン２０とを接続する第１スチーム管路ＳＬ１からバルブＢを介して分岐し、復水器４０に繋がるバイパス管路ＳＬ６を備えている。
【００３８】
前記循環系統ＲＬは、水源（本実施形態においては海）に繋がる取水路８１と、水源から取水路８１に取り入れた冷却水を復水器４０に供給する循環ポンプ８０と、復水器４０で熱交換（蒸気の冷却）に利用された冷却水を水源に戻す放水路８２とを備えている。なお、本実施形態において循環系統ＲＬの水源は海であるが、発電設備１の立地条件によっては、河川が循環系統ＲＬの水源とされる場合がある。
【００３９】
ここで、ブースタ給水ポンプ５１およびボイラ給水ポンプ５２に接続される配管（以下、配管群という）の構成について図２および図３を参照して説明する。配管群は、ブースタ給水ポンプ５１の吐出側とボイラ給水ポンプ５２の吸込側とを上から跨ぐように、ブースタ給水ポンプ５１の吐出側とボイラ給水ポンプ５２の吸込側とに接続される接続配管５００と、脱気器６０とブースタ給水ポンプ５１の吸込口とに接続される吸込配管５１１と、ボイラ給水ポンプ５２の吐出口と高圧給水加熱器７０とに接続される吐出配管５２１とを備えている。
【００４０】
そして、ブースタ給水ポンプ５１およびボイラ給水ポンプ５２の上方に位置する接続配管５００の中途部とボイラ給水ポンプ５２の吸込側とに、ボイラ給水ポンプ５２のロータのバランスを保持するロータバランス配管５０１が接続されている。また、復水器４０からボイラ給水ポンプ５２に封水を供給する一対の封水供給配管５３０，５３０が、ボイラ給水ポンプ５２に接続されている。また、配管群は、ボイラ給水ポンプ５２に供給された封水を復水器４０に回収する封水連絡配管５３１を備えている。
【００４１】
吸込配管５１１は、脱気器６０からの流路を開閉する入口弁５１１ａと、ブースタ給水ポンプ５１の吸込口の手前で海洋生成物や漂流異物などの不純物を除去するストレーナＳとを有している。そして、吸込配管５１１に、ストレーナ空気抜き弁５１１０ａを有するストレーナ空気抜き配管５１１０が接続され、ストレーナＳに、ストレーナブロー弁５１１１ａを有するステレーナブロー配管５１１１が接続されている。
【００４２】
ブースタ給水ポンプ５１に接続される配管は、ケーシング空気抜き弁５１１２ａを有するケーシング空気抜き配管５１１２と、ケーシングブロー弁５１１３ａを有するケーシングブロー配管５１１３とがある。また、上述した軸冷系統ＷＬｄのメカニカルシールフラッシング水入口配管５４０に、メカニカルシールフラッシング水入口弁５４０ａが設けられ、メカニカルシールフラッシング水出口配管５４１に、メカニカルシールフラッシング水出口弁５４１ａが設けられ、メカニカルシールフラッシング空気抜き配管５４２に、メカニカルシールフラッシング空気抜き弁５４２ａが設けられている。そして、メカニカルシールフラッシング水入口配管５４０、メカニカルシールフラッシング水出口配管５４１、メカニカルシールフラッシング水空気抜き配管５４２は、メカクーラ５５に接続されている。また、図示していないが、ブースタ給水ポンプ５１には、軸冷水供給元弁および軸冷水戻り元弁が配置されている。
【００４３】
ボイラ給水ポンプ５２は、吐出配管５２１が接続されると共に、該吐出配管５２１に、出口弁前空気抜き配管５２１０、出口管ドレン配管５２１１、過熱防止配管５２１２が接続されている。そして、吐出配管５２１に、高圧給水加熱器７０へ給水するための出口弁５２１ａが設けられ、出口弁前空気抜き配管５２１０に、出口弁前空気抜き弁５２１０ａが設けられ、出口管ドレン配管５２１１に、出口管ドレン弁５２１１ａが設けられている。また、過熱防止配管５２１２は、ボイラ給水ポンプ５２の運転を締め切り運転すると、動力損失が熱に代わり、ボイラ給水ポンプ５２の内部の給水温度が上昇するために、最低流量流して温度上昇を防止している。そして、過熱防止配管５２１２に、過熱防止配管５２１０からの高温水がボイラ給水ポンプ５２へ逆流するのを防止する過熱防止弁前弁５２１２ａが設けられている。また、過熱防止配管５２１２に、内部の高温水を排出する過熱防止管ドレン弁５２１２ｂが設けられている。
【００４４】
また、ボイラ給水ポンプ５２に、停止中の予備機のボイラ給水ポンプに対して、急速起動するために、運転中のボイラ給水ポンプ５２の高温水を入れて暖気するウォーミング用配管５２１３が接続されるとともに、ケーシング空気抜き用配管５２１４が接続されている。そして、ウォーミング用配管５２１３に、ウォーミング弁５２１３ａが設けられ、ケーシング空気抜き用配管５２１４に、ケーシング空気抜き弁５２１４ａが設けられている。また、ウォーミング用配管５２１３に、ケーシングブロー用配管５２１５が接続され、該ケーシングブロー用配管５２１５に、ケーシングブロー弁５２１５ａが設けられている。
【００４５】
さらに、ボイラ給水ポンプ５２に、ロータのバランスを保持するロータバランス配管５０１が接続されるとともに、一対の封水供給配管５３０，５３０が接続され、接続配管５００に、封水連絡配管５３１が接続されている。ロータバランス配管５０１は、ロータバランス配管圧力計用検出配管５０１０を有し、ロータバランス配管圧力計用検出配管５０１０に、ボイラ給水ポンプ５２に供給された封水が満水状態であることを確認するためのブロー水確認用ホース５０２が接続される。また、ロータバランス配管圧力計用検出配管５０１０は、ロータバランス配管圧力計用検出配管元弁５０１０ａを有している。また、封水供給配管５３０，５３０に一対の封水調整弁バイパス弁５３０ａ，５３０ａが配置されるとともに、バイパス経路に一対の封水最低流量調整弁５３０ｂ，５３０ｂが配置されている。そして、封水連絡配管５３１は、封水連絡管ブロー弁５３１ａおよび封水連絡管ブロー弁前弁５３１ｂが設けられている。
【００４６】
つぎにブースタ給水ポンプ５１におけるメンテナンス時のアイソレート方法について説明する。まず、ボイラ給水ポンプ５２のタービンをターニングするとともに、グランド蒸気を供給して蒸気シールする。これによって、復水器４０の真空低下が阻止されるようになり、復水器４０の真空値の監視が不要になる。
【００４７】
つぎに、ボイラ給水ポンプ５２の出口弁５２１ａが全閉であることを確認し、出口側からの流水を阻止する。そして、ブースタ給水ポンプ５１に電気的に接続されている、ロードセンタの遮断器を「切」の状態（Ｅロック）にして、遮断器を電源回路から引き外す操作をする（図示せず）。そして、ボイラ給水ポンプ５２の出口弁５２１ａに電気的に接続されている、コントロールセンタの動力回路内の電磁開閉器を開放状態（Ｅロック）にして、配線用遮断器を「切」に操作する（図示せず）。
【００４８】
つぎに、運転中のボイラ給水ポンプ５２から停止中の予備機のボイラ給水ポンプ（図示せず）に高温水を供給するウォーミング弁５２１３ａを全閉操作する。そして、過熱防止配管５２１２からの高温水の逆流を防止する過熱防止弁前弁５２１２ａを全閉操作する。
【００４９】
その後、封水調整弁バイパス弁（カップリング側：ボイラ給水ポンプ５２の吸込側）５３０ａおよび封水調整弁バイパス弁（反カップリング側：ボイラ給水ポンプ５２の吐出側）５３０ａを調整しつつ開操作して、ボイラ給水ポンプ５２を冷却すべく給水を行う。この封水の供給によって、ボイラ給水ポンプ５２の軸シールがなされるとともに、ボイラ給水ポンプ５２の冷却が開始される。
【００５０】
つぎに、ボイラ給水ポンプ５２の入口弁５１１ａをコントロールスイッチ（図示せず）で全閉操作するとともに、ボイラ給水ポンプ５２の入口弁５１１ａに電気的に接続されている遮断器（図示せず）を閉状態にして、ブースタ給水ポンプ５１の入口側からの流水を阻止する。なお、ボイラ給水ポンプ５２の入口弁５１１ａを全閉する際は、フラッシュ（ウォータハンマ）に注意する。
【００５１】
ボイラ給水ポンプ５２の上方に位置する封水連絡配管５３１のブロー弁５３１ａが全開であることを確認する。一方、ブースタ給水ポンプ５１のストレーナブロー弁５１１１ａを調整しつつ開操作して、ブースタ給水ポンプ５１の冷却を開始する。そして、各封水調整弁バイパス弁５３０ａ，５３０ａおよび各封水最低流量調整弁５３０ｂ，５３０ｂを調整しつつ開操作して、ボイラ給水ポンプ５２の冷却を継続する。この際の温度降下は、１時間に２５度〜３０度降下し、１４３度〜４２度まで降下するのに、約４時間かかった。
【００５２】
その後、ボイラ給水ポンプ５２のロータバランス配管圧力計用検出配管元弁５０１０ａを全閉に操作して、ブロー用ホース５０２を接続する。一方、ボイラ給水ポンプ５２の封水最低流量調整弁（カップリング側）５３０ｂ、および、封水最低流量調整弁（反カップリング側）５３０ｂを調整しつつ開操作し、ボイラ給水ポンプ５２の内部を封水で満水状態にする。この際、封水連絡配管５３１からの流水がないことを確認する。
【００５３】
そして、ボイラ給水ポンプ５２の過熱防止管ドレン弁５２１２ｂを全開操作するとともに、ボイラ給水ポンプ５２の出口管ドレン弁５２１１ａを全開操作し、さらに、ボイラ給水ポンプ５２のケーシング空気抜き弁５２１４ａを全開操作して、ボイラ給水ポンプ５２のさらなる冷却を継続する。一方、ロータバランス配管圧力計用検出配管元弁５０１０ａを全開操作して、ボイラ給水ポンプ５２からブースタ給水ポンプ５１への流水（逆流）がないことを確認する。
【００５４】
つぎに、ブースタ給水ポンプ５１のストレーナ空気抜き弁５１１０ａを全開操作するとともに、ストレーナブロー弁５１１１ａ、ケーシング空気抜き弁５１１２ａ、ケーシングブロー弁５１１３ａをそれぞれ全開操作して、ブースタ給水ポンプ５１の冷却を継続する一方、ケーシングブロー弁５１１３ａからの流水がないことを確認する。
【００５５】
そして、ボイラ給水ポンプ５２の出口弁前空気抜き弁５２１０ａを全開操作して、ボイラ給水ポンプ５２の冷却を完了する。
【００５６】
最後に、ブースタ給水ポンプ５１の軸冷系統からブースタ給水ポンプ５１をアイソレートする。すなわち、ブースタ給水ポンプ５１の軸冷水供給元弁（図示せず）を全閉操作するとともに、ブースタ給水ポンプ５１の軸冷水戻り元弁（図示せず）を全閉操作する。ブースタ給水ポンプ５１のメカニカルシールフラッシング水入口弁５４０ａを全閉操作するとともに、ブースタ給水ポンプ５１のメカニカルシールフラッシング水出口弁５４１ａを全閉操作する。最後に、ブースタ給水ポンプ５１のメカニカルシールフラッシング水空気抜き弁５４２ａを全開操作する。そして、ブースタ給水ポンプ５１のメンテナンスを行う。
【００５７】
つぎに復旧操作について説明する。まず、ブースタ給水ポンプ５１の軸冷水供給元弁（図示せず）を全閉から全開操作するとともに、ブースタ給水ポンプ５１の軸冷水戻り元弁（図示せず）を全閉から全開操作する一方、ブースタ給水ポンプ５１のメカニカルシールフラッシング水入口弁５４０ａを全閉から全開操作するとともに、ブースタ給水ポンプ５１のメカニカルシールフラッシング水出口弁５４１ａを全閉から全開操作する。その後、ブースタ給水ポンプ５１のメカニカルシールフラッシング水空気抜き弁５４２ａを全開から全閉操作する。この際、空気抜き完了後に全閉とする。すなわち、ブースタ給水ポンプ５１にフラッシング水（冷却水）を循環させる一方、空気を遮断する。つまり、ブースタ給水ポンプ５１の軸冷系統の復旧のスタンバイ状態を確保する。
【００５８】
つぎに、ボイラ給水ポンプ５２の封水連絡管ブロー弁５３１ａの全開を確認し、ボイラ給水ポンプ５２の封水連絡管ブロー弁前弁５３１ｂの全開を確認する。すなわち、ボイラ給水ポンプ５２に供給する封水を復水器４０へ戻す流路を確保する。一方、ブロー用ホース５０２をロータバランス配管圧力計用検出配管５０１０から取り外した後、ロータバランス配管圧力計用検出配管元弁５０１０ａを全開に維持して、ボイラ給水ポンプ５２のロータの回転のバランスを保持できるようにする。そして、ボイラ給水ポンプ５２のケーシングブロー弁５２１５ａが全閉であることを確認して、ボイラ給水ポンプ５２の復旧のスタンバイ状態を確保する。
【００５９】
つぎに、ブースタ給水ポンプ５１のケーシングブロー弁５１１３ａを全開から全閉操作して、ブースタ給水ポンプ５１のストレーナブロー弁５１１１ａを全閉操作する。すなわち、ブースタ給水ポンプ５１の復旧のスタンバイ状態を確保する。
【００６０】
そして、ボイラ給水ポンプ５２の過熱防止管ドレン弁５２１２ｂを全閉操作するとともに、ボイラ給水ポンプ５２の出口管ドレン弁５２１１ａを全閉操作し、ボイラ給水ポンプ５２の水系統の復旧のスタンバイ状態を確保する。
【００６１】
つぎに、ブースタ給水ポンプ５１のケーシング空気抜き弁５１１２ａを調整開に操作するとともに、ブースタ給水ポンプ５１のストレーナ空気抜き弁５１１０ａを調整開に操作する。
【００６２】
つぎに、ボイラ給水ポンプ５２のケーシング空気抜き弁５２１４ａを調整開に操作し、ボイラ給水ポンプ５２の出口弁前空気抜き弁５２１０ａを調整開に操作する。
【００６３】
つぎに、ボイラ給水ポンプ５２の封水最低流量調整弁（カップリング側）５３０ｂを全開操作するとともに、ボイラ給水ポンプ５２の封水最低流量調整弁（反カップリング側）５３０ｂを全開操作する。すなわち、ボイラ給水ポンプ５２の軸部に封水を供給（軸シール）する。
【００６４】
つぎに、ボイラ給水ポンプ５２のケーシング空気抜き弁５２１４ａを全閉操作する。一方、ブースタ給水ポンプ５１のケーシング空気抜き弁５１１２ａを全閉操作するとともに、ブースタ給水ポンプ５１のストレーナ空気抜き弁５１１０ａを全閉操作して、ボイラ給水ポンプ５２の出口弁前空気抜き弁５２１０ａを全閉操作するとともに、ボイラ給水ポンプ５２の封水最低流量調整弁（カップリング側）５３０ｂを調整開に操作して、ボイラ給水ポンプ５２の封水最低流量調整弁（反カップリング側）５３０ｂを調整開に操作する。
【００６５】
その後、ボイラ給水ポンプ５２の過熱防止弁前弁５２１２ａを全開操作する。一方、ボイラ給水ポンプ５２の入口弁５１１ａのＥロックを解除する（図示せず）。ボイラ給水ポンプ５２の入口弁５１１ａを調整開にしつつ、中央操作する。この際、ウォータハンマに注意する。そして、ボイラ給水ポンプ５２の出口弁前空気抜き弁５２１０ａを閉から開に操作する。給水ラインからの空気抜きを行う。
【００６６】
つぎに、計器の空気抜きを実施する。まず、ブースタ給水ポンプ５１の入口弁５１１ａを全開にするように中央操作するとともに、ボイラ給水ポンプ５２のウォーミング弁５２１３ａを全開に操作する。この際、ウォーミング弁５２１３ａを開操作する際は、ボイラ給水ポンプ５２の温度上昇を確認しながら徐々に開操作する。
【００６７】
ボイラ給水ポンプ５２の出口弁５２１ａのＥロックを解除する。すなわち、電磁開閉器（図示せず）を閉状態にして、一方、ブースタ給水ポンプ５１のＥロックを解除する（図示せず）。すなわち、遮断器を電源回路に接続（図示せず）して、配線用遮断器を「入」の状態にする（図示せず）。つまり、ブースタ給水ポンプ５１およびボイラ給水ポンプ５２の試運転を開始する。この場合、ボイラ給水ポンプ５２に封水が満水状態であることから復旧時間が短縮される。
【００６８】
以上説明したように、本実施形態に係る発電設備におけるメンテナンス時のアイソレート方法は、ボイラ給水ポンプ５２の水系統のみアイソレートすることで、ボイラ給水ポンプ５２からブースタ給水ポンプ５１側に水が行かないようにして、ブースタ給水ポンプ５１を修理することができる。そして、ボイラ給水ポンプ５２の蒸気系統のアイソレートがないので、復水器４０の真空低下への監視がなくなる分、作業者の負担が軽減される。従来のように、蒸気系統および水系統のアイソレートがないので、ボイラ給水ポンプ５２からブースタ給水ポンプ５１の広範囲における各弁の開閉操作の作業にかかる時間が大幅に削減される。また、復旧時、ボイラ給水ポンプ５２の水系統を復旧させるだけでよい、すなわち、ボイラ給水ポンプ５２の出口側および入口側の流水を阻止している区間の各弁の操作するだけでよい。さらに、ボイラ給水ポンプ５２の蒸気系統を生かしているので、復水器４０の真空値が低下することがない。すなわち、復水器４０とボイラ給水ポンプ５２のタービンＴの排気室との真空度の差がなく、復旧時間を大幅に短縮できる。
【００６９】
なお、本発明に係る発電設備は、前記実施の形態に限定することなく種々変更することができる。
【００７０】
例えば、前記実施形態の場合、火力発電設備に適用するようにしたが、蒸気タービンシステムを有する原子力発電設備にも適用できることは言うまでもない。
【符号の説明】
【００７１】
１０…ボイラ、４０…復水器、５０…給水手段、５１…ブースタ給水ポンプ、５２…ボイラ給水ポンプ、５００…接続配管、５０１…ロータバランス配管、５０２…ブロー用ホース、ＷＬａ…復水系統、ＷＬｂ…給水系統、ＷＬｃ…軸封水供給系統、ＷＬｄ…軸冷系統
【図１】
0005188607.tif 000002
【図２】
0005188607.tif 000003
【図３】
0005188607.tif 000004